【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
診断アプリで規定されている診断シナリオにしたがって診断対象（５，６）の診断を実施する診断部（９ｂ）と、
前記診断部により不具合に対する処置を実施した後、前記診断部による診断に使用した診断シナリオが適切であったか否かを判定する診断シナリオ判定部（９ｃ）と、を備え、
前記診断部は、今回の診断に使用した診断シナリオが適切でなかったと前記診断シナリオ判定部により特定されると、今回の診断アプリとは異なる新たな診断アプリで規定されている診断シナリオにしたがって診断を実施する車両診断装置。
【請求項２】
診断アプリで規定されている診断シナリオにしたがって診断対象（５，６）の診断を実施する診断部（９ｂ）と、
前記診断部による診断に使用した診断シナリオが適切であったか否かを判定する診断シナリオ判定部（９ｃ）と、を備え、
前記診断部は、今回の診断に使用した診断シナリオが適切でなかったと前記診断シナリオ判定部により特定されると、今回の診断アプリとは異なる新たな診断アプリで規定されている診断シナリオにしたがって診断を実施し、今回の診断アプリとして定期診断アプリを使用し、その定期診断アプリで規定されている定期診断シナリオが、検出した不具合に対する処置の不適応により適切でなかったと前記診断シナリオ判定部により特定されると、新たな診断アプリとして詳細診断アプリを使用し、その詳細診断アプリで規定されている詳細診断シナリオにしたがって詳細診断を実施する車両診断装置。
【請求項３】
診断アプリで規定されている診断シナリオにしたがって診断対象（５，６）の診断を実施する診断部（９ｂ）と、
前記診断部による診断に使用した診断シナリオが適切であったか否かを判定する診断シナリオ判定部（９ｃ）と、を備え、
前記診断部は、今回の診断に使用した診断シナリオが適切でなかったと前記診断シナリオ判定部により特定されると、今回の診断アプリとは異なる新たな診断アプリで規定されている診断シナリオにしたがって診断を実施し、今回の診断アプリとして定期診断アプリを使用し、その定期診断アプリで規定されている定期診断シナリオが、不具合の未検出により適切でなかったと前記診断シナリオ判定部により特定されると、新たな診断アプリとして原因特定診断アプリを使用し、その原因特定診断アプリで規定されている原因特定診断シナリオにしたがって原因特定診断を実施する車両診断装置。
【請求項４】
診断アプリで規定されている診断シナリオにしたがって診断対象（５，６）の診断を実施する診断部（９ｂ）と、
前記診断部による診断に使用した診断シナリオが適切であったか否かを判定する診断シナリオ判定部（９ｃ）と、を備え、
前記診断部は、今回の診断に使用した診断シナリオが適切でなかったと前記診断シナリオ判定部により特定されると、今回の診断アプリとは異なる新たな診断アプリで規定されている診断シナリオにしたがって診断を実施し、
前記診断シナリオ判定部は、前記診断部が診断を実施した後の前記診断対象の動作ログを正常動作ログと比較し、前記診断部による診断に使用した診断シナリオが適切であったか否かを判定する車両診断装置。
【請求項５】
診断アプリで規定されている診断シナリオにしたがって診断対象（５，６）の診断を実施する診断部（９ｂ）と、
前記診断部による診断に使用した診断シナリオが適切であったか否かを判定する診断シナリオ判定部（９ｃ）と、を備え、
前記診断部は、今回の診断に使用した診断シナリオが適切でなかったと前記診断シナリオ判定部により特定されると、今回の診断アプリとは異なる新たな診断アプリで規定されている診断シナリオにしたがって診断を実施し、
前記診断シナリオ判定部は、前記診断部が診断を実施した際に生成した診断実施データを正常診断実施データと比較し、前記診断部による診断に使用した診断シナリオが適切であったか否かを判定する車両診断装置。
【請求項６】
前記診断シナリオ判定部は、前記診断部が診断を実施した後のユーザによる所定操作を判定し、前記診断部による診断に使用した診断シナリオが適切であったか否かを判定する請求項１から３の何れか一項に記載した車両診断装置。
【請求項７】
診断アプリを記憶する診断アプリ記憶部（９ａ）を備え、
前記診断部は、前記診断アプリ記憶部に記憶されている診断アプリで規定されている診断シナリオにしたがって前記診断対象の診断を実施する請求項１から６の何れか一項に記載した車両診断装置。
【請求項８】
診断アプリをサーバ（３）に要求する診断アプリ要求部（９ｄ）と、
前記サーバから診断アプリを取得する診断アプリ取得部（９ｅ）と、を備え、
前記診断部は、前記サーバから前記診断アプリ取得部により取得された診断アプリで規定されている診断シナリオにしたがって前記診断対象の診断を実施する請求項１から６の何れか一項に記載した車両診断装置。
【請求項９】
前記診断部による診断結果を含む診断結果データをサーバに通知する診断結果データ通知部（９ｆ）を備え、
前記診断アプリ取得部は、前記サーバに記憶されている複数の診断アプリの中から当該サーバが診断結果データにしたがって選択した診断アプリを取得する請求項８に記載した車両診断装置。
【請求項１０】
診断アプリで規定されている診断シナリオにしたがって診断対象（５，６）の診断を実施する診断部（９ｂ）と、前記診断部により不具合に対する処置を実施した後、前記診断部による診断に使用した診断シナリオが適切であったか否かを判定する診断シナリオ判定部（９ｃ）と、を備え、前記診断部が、今回の診断に使用した診断シナリオが適切でなかったと前記診断シナリオ判定部により特定されると、今回の診断アプリとは異なる新たな診断アプリで規定されている診断シナリオにしたがって診断を実施する車両診断装置（２）と、
診断アプリを前記車両診断装置に送信するサーバ（３）と、を備えた車両診断システム。
【請求項１１】
診断アプリで規定されている診断シナリオにしたがって診断対象（５，６）の診断を実施する診断部（９ｂ）と、前記診断部による診断に使用した診断シナリオが適切であったか否かを判定する診断シナリオ判定部（９ｃ）と、を備え、前記診断部が、今回の診断に使用した診断シナリオが適切でなかったと前記診断シナリオ判定部により特定されると、今回の診断アプリとは異なる新たな診断アプリで規定されている診断シナリオにしたがって診断を実施する車両診断装置（２）と、
診断アプリを前記車両診断装置に送信するサーバ（３）と、を備え、
前記診断部は、今回の診断アプリとして定期診断アプリを使用し、その定期診断アプリで規定されている定期診断シナリオが、検出した不具合に対する処置の不適応により適切でなかったと前記診断シナリオ判定部により特定されると、新たな診断アプリとして詳細診断アプリを使用し、その詳細診断アプリで規定されている詳細診断シナリオにしたがって詳細診断を実施する車両診断システム。
【請求項１２】
診断アプリで規定されている診断シナリオにしたがって診断対象（５，６）の診断を実施する診断部（９ｂ）と、前記診断部による診断に使用した診断シナリオが適切であったか否かを判定する診断シナリオ判定部（９ｃ）と、を備え、前記診断部が、今回の診断に使用した診断シナリオが適切でなかったと前記診断シナリオ判定部により特定されると、今回の診断アプリとは異なる新たな診断アプリで規定されている診断シナリオにしたがって診断を実施する車両診断装置（２）と、
診断アプリを前記車両診断装置に送信するサーバ（３）と、を備え、
前記診断部は、今回の診断アプリとして定期診断アプリを使用し、その定期診断アプリで規定されている定期診断シナリオが、不具合の未検出により適切でなかったと前記診断シナリオ判定部により特定されると、新たな診断アプリとして原因特定診断アプリを使用し、その原因特定診断アプリで規定されている原因特定診断シナリオにしたがって原因特定診断を実施する車両診断システム。
【請求項１３】
診断アプリで規定されている診断シナリオにしたがって診断対象（５，６）の診断を実施する診断部（９ｂ）と、前記診断部による診断に使用した診断シナリオが適切であったか否かを判定する診断シナリオ判定部（９ｃ）と、を備え、前記診断部が、今回の診断に使用した診断シナリオが適切でなかったと前記診断シナリオ判定部により特定されると、今回の診断アプリとは異なる新たな診断アプリで規定されている診断シナリオにしたがって診断を実施する車両診断装置（２）と、
診断アプリを前記車両診断装置に送信するサーバ（３）と、を備え、
前記診断シナリオ判定部は、前記診断部が診断を実施した後の前記診断対象の動作ログを正常動作ログと比較し、前記診断部による診断に使用した診断シナリオが適切であったか否かを判定する車両診断システム。
【請求項１４】
診断アプリで規定されている診断シナリオにしたがって診断対象（５，６）の診断を実施する診断部（９ｂ）と、前記診断部による診断に使用した診断シナリオが適切であったか否かを判定する診断シナリオ判定部（９ｃ）と、を備え、前記診断部が、今回の診断に使用した診断シナリオが適切でなかったと前記診断シナリオ判定部により特定されると、今回の診断アプリとは異なる新たな診断アプリで規定されている診断シナリオにしたがって診断を実施する車両診断装置（２）と、
診断アプリを前記車両診断装置に送信するサーバ（３）と、を備え、
前記診断シナリオ判定部は、前記診断部が診断を実施した際に生成した診断実施データを正常診断実施データと比較し、前記診断部による診断に使用した診断シナリオが適切であったか否かを判定する車両診断システム。
【請求項１５】
前記車両診断装置は、診断アプリを前記サーバ（３）に要求する診断アプリ要求部（９ｄ）と、前記サーバから診断アプリを取得する診断アプリ取得部（９ｅ）と、前記診断部による診断結果を含む診断結果データを前記サーバに通知する診断結果データ通知部（９ｆ）を備え、
前記サーバは、複数の診断アプリを記憶し、前記車両診断装置から診断結果データが通知されると、複数の診断アプリの中から診断結果データにしたがって何れかの診断アプリを選択し、その選択した診断アプリを前記車両診断装置に送信する請求項１０から１４の何れか一項に記載した車両診断システム。
【請求項１６】
診断対象（５，６）のマイクロコンピュータ（９）に、
今回の診断アプリで規定されている診断シナリオにしたがって診断対象（５，６）の診断を実施する今回の診断手順と、
今回の診断手順により不具合に対する処置を実施した後、今回の診断手順による診断シナリオが適切であったか否かを判定する診断シナリオ判定手順と、
今回の診断手順よる診断シナリオが適切でなかったと特定すると、今回の診断アプリとは異なる新たな診断アプリで規定されている診断シナリオにしたがって診断を実施する新たな診断手順と、を実行させる車両診断プログラム。
【請求項１７】
診断対象（５，６）のマイクロコンピュータ（９）に、
今回の診断アプリで規定されている診断シナリオにしたがって診断対象（５，６）の診断を実施する今回の診断手順と、
今回の診断手順よる診断シナリオが適切であったか否かを判定する診断シナリオ判定手順と、
今回の診断手順よる診断シナリオが適切でなかったと特定すると、今回の診断アプリとは異なる新たな診断アプリで規定されている診断シナリオにしたがって診断を実施する新たな診断手順と、を実行させ、
前記新たな診断手順は、今回の診断アプリとして定期診断アプリを使用し、その定期診断アプリで規定されている定期診断シナリオが、検出した不具合に対する処置の不適応により適切でなかったと前記診断シナリオ判定手順により特定すると、新たな診断アプリとして詳細診断アプリを使用し、その詳細診断アプリで規定されている詳細診断シナリオにしたがって詳細診断を実施する車両診断プログラム。
【請求項１８】
診断対象（５，６）のマイクロコンピュータ（９）に、
今回の診断アプリで規定されている診断シナリオにしたがって診断対象（５，６）の診断を実施する今回の診断手順と、
今回の診断手順よる診断シナリオが適切であったか否かを判定する診断シナリオ判定手順と、
今回の診断手順よる診断シナリオが適切でなかったと特定すると、今回の診断アプリとは異なる新たな診断アプリで規定されている診断シナリオにしたがって診断を実施する新たな診断手順と、を実行させ、
前記新たな診断手順は、今回の診断アプリとして定期診断アプリを使用し、その定期診断アプリで規定されている定期診断シナリオが、不具合の未検出により適切でなかったと前記診断シナリオ判定手順に特定すると、新たな診断アプリとして原因特定診断アプリを使用し、その原因特定診断アプリで規定されている原因特定診断シナリオにしたがって原因特定診断を実施する車両診断プログラム。
【請求項１９】
診断対象（５，６）のマイクロコンピュータ（９）に、
今回の診断アプリで規定されている診断シナリオにしたがって診断対象（５，６）の診断を実施する今回の診断手順と、
今回の診断手順よる診断シナリオが適切であったか否かを判定する診断シナリオ判定手順と、
今回の診断手順よる診断シナリオが適切でなかったと特定すると、今回の診断アプリとは異なる新たな診断アプリで規定されている診断シナリオにしたがって診断を実施する新たな診断手順と、を実行させ、
前記診断シナリオ判定手順は、前記診断手順が診断を実施した後の前記診断対象の動作ログを正常動作ログと比較し、前記診断手順による診断に使用した診断シナリオが適切であったか否かを判定する車両診断プログラム。
【請求項２０】
診断対象（５，６）のマイクロコンピュータ（９）に、
今回の診断アプリで規定されている診断シナリオにしたがって診断対象（５，６）の診断を実施する今回の診断手順と、
今回の診断手順よる診断シナリオが適切であったか否かを判定する診断シナリオ判定手順と、
今回の診断手順よる診断シナリオが適切でなかったと特定すると、今回の診断アプリとは異なる新たな診断アプリで規定されている診断シナリオにしたがって診断を実施する新たな診断手順と、を実行させ、
前記診断シナリオ判定手順は、前記診断手順が診断を実施した際に生成した診断実施データを正常診断実施データと比較し、前記診断手順による診断に使用した診断シナリオが適切であったか否かを判定する車両診断プログラム。
【手続補正２】
【補正対象書類名】明細書
【補正対象項目名】０００６
【補正方法】変更
【補正の内容】
【０００６】
請求項１に記載した発明によれば、診断部（９ｂ）は、診断アプリで規定されている診断シナリオにしたがって診断対象（５，６）の診断を実施する。診断シナリオ判定部（９ｃ）は、診断部により不具合に対する処置を実施した後、診断部による診断に使用した診断シナリオが適切であったか否かを判定する。診断部は、今回の診断に使用した診断シナリオが適切でなかったと診断シナリオ判定部により特定されると、今回の診断アプリとは異なる新たな診断アプリで規定されている診断シナリオにしたがって診断を実施する。診断に使用した診断シナリオが適切でなかった場合に新たな診断シナリオにしたがって診断を繰り返し実施することで、診断を適切に実施することができる。